(57)【要約】【課題】個人情報漏洩の不安をなくし、地方の広告を埋没しないようにするシステムを作ること。【解決手段】特定地域単位の広告提供システムは、特定地域単位の広告が受信可能な特定地域単位用の携帯広告端末２３と、この携帯広告端末２３が存在する前記特定地域単位内の現在位置を前記携帯広告端末２３によりＷｅｂサイトに通知する手段と、前記Ｗｅｂサイトの広告蓄積部にある広告提供主の前記特定地域内の広告を前記携帯広告端末２３に発信する広告サイトサーバ２１とを備え、前記携帯広告端末２３が広告提供主の広告に関する店舗から特定距離内にある時に広告提供主からの広告を前記広告サイトサーバ２１から受信して特定地域単位内の広告の提供を受け、少なくとも商品情報、店舗情報およびタイムサービス情報を検索できることを特徴とする。【選択図】      図２
2008130053.tif 000002
【特許請求の範囲】
【請求項１】
特定地域単位の広告が受信可能な特定地域単位用の携帯広告端末と、
この携帯広告端末が存在する前記特定地域単位内の現在位置を前記携帯広告端末によりＷｅｂサイトに通知する手段と、
前記Ｗｅｂサイトの広告蓄積部にある広告提供主の前記特定地域内の広告を前記携帯広告端末に発信する広告サイトサーバとを備え、
前記携帯広告端末が広告提供主の広告に関する店舗から特定距離内にある時に、広告提供主からの広告を前記広告サイトサーバから受信して特定地域単位内の広告の提供を受け、少なくとも商品情報、店舗情報およびタイムサービス情報を検索できることを特徴とする特定地域単位の広告提供システム。
【請求項２】
広告提供主の各広告に重み付けをすることにより、表示に際し優先度を設けたことを特徴とする請求項１記載の特定地域単位の広告提供システム。
【請求項３】
広告提供主からの広告を受信した時からの経過時間に重み付けをしたことを特徴とする請求項１記載の特定地域単位の広告提供システム。
【請求項４】
広告内容が変化したとき前記携帯広告端末からアラーム信号を発することを特徴とする請求項１記載の特定地域単位の広告提供システム。
【請求項５】
前記携帯広告端末を初期設定するとき利用者の好みの商品区分に対して重み付けをすることにより、表示に際し優先度を設けたことを特徴とする請求項１記載の特定地域単位の広告提供システム。
【請求項６】
前記携帯広告端末の現在位置と店舗との距離に応じて重み付けをすることにより、表示に際し優先度を設けたことを特徴とする請求項１記載の特定地域単位の広告提供システム。
【発明の詳細な説明】
【技術分野】
【０００１】
本発明はインターネットと携帯広告端末とを用いた特定地域単位の広告提供システムに関する。
【背景技術】
【０００２】
従来の携帯電話を利用した広告提供システムでは、携帯電話を利用するには個人情報の登録が必要なため、個人情報の漏洩の危険性があった。
【０００３】
また、従来のものでは利用者に提供したい広告を情報データベースサーバにアップロードし、提供するという手間がかかり、最新の情報を提供することがわずらわしいものであった。
【０００４】
さらにまた、従来のこの種の広告提供システムでは全国という広域の広告情報を扱うため、一市街地，一商店街または一百貨店内など特定した地域単位ではその広告情報が埋没してしまって、一地方の消費者には広告情報として、タイムサービスなどの緊迫した広告には到底向かない広告提供システムであった。
【０００５】
例えば、特許文献１に記載の地域情報提供システムがあるが、個人情報の登録が必要であり、個人情報漏洩の危険性があった。
【特許文献１】特開平２００３−１９６５４５号公報
【発明の開示】
【発明が解決しようとする課題】
【０００６】
本発明は、情報端末を利用するときにも個人情報の登録を必要とせず、したがって、個人情報の漏洩の不安もなくし、しかも限られた一地方の広告を埋没させずに利用しようとする特定地域単位の広告提供システムを提供するものである。
【課題を解決するための手段】
【０００７】
請求項１に係る特定地域単位の広告提供システムは、特定地域単位の広告が受信可能な特定地域単位用の携帯広告端末と、この携帯広告端末が存在する前記特定地域単位内の現在位置を前記携帯広告端末により専用Ｗｅｂサイトに通知する手段と、前記専用Ｗｅｂサイトの広告蓄積部にある広告提供主の前記特定地域内の広告を前記携帯広告端末に発信する広告サイトサーバとを備え、前記携帯広告端末が広告提供主の広告に関する店舗から特定距離内にある時に広告提供主からの広告を前記広告サイトサーバから受信して特定地域単位内の広告の提供を受け、少なくとも商品情報、店舗情報およびタイムサービス情報を検索できることを特徴とする。
【０００８】
請求項２に係る特定地域単位の広告提供システムは、広告提供主の各広告に重み付けをすることにより、表示に際し優先度を設けたことを特徴とする。
【０００９】
請求項３に係る特定地域単位の広告提供システムは、広告提供主の広告を受信した時からの経過時間に重み付けをしたことを特徴とする。
【００１０】
請求項４に係る特定地域単位の広告提供システムは、広告提供主の広告内容が変化したとき前記携帯広告端末からアラーム信号を発することを特徴とする。
【００１１】
請求項５に係る特定地域単位情報提供システムは、前記携帯広告端末を初期設定するとき利用者の好みの商品区分に対して重み付けをすることにより、表示に際し優先度を設けたことを特徴とする。
【００１２】
請求項６に係る特定地域単位情報提供システムは、前記携帯広告端末の現在位置と店舗との距離に応じて重み付けをし、表示に際し優先度を設けたことを特徴とする。
【発明の効果】
【００１３】
本発明では特定地域単位の携帯広告端末を利用することにより、個人情報漏洩の不安をなくし、特定地域単位でのみ管理、運営することができる。また特定地域単位の広告のみを有効に活用できるので利用率も高く、安心し身近でかつ必要な広告を得やすくすることができる。
【実施例】
【００１４】
実施の形態１．
図１は本発明の実施の形態１を示すブロック図である。図１において、１は複数の広告提供主の広告発信部、２はＷｅｂサイト上にある広告蓄積部、３は利用者が広告を受信することができる地域Ａ内の複数個の携帯広告端末である。
【００１５】
図１において、広告発信部１は、特定の地域Ａ、たとえば限られた狭い範囲であって具体的には徒歩での移動を想定した２Ｋｍ範囲内の特定地域単位にのみ広告を発信しうる電波状態のものである。
【００１６】
携帯広告端末３は、利用者の居場所を含む特定地域単位の広告の受信とその広告の検索が可能な複数個の携帯広告端末であり、また、携帯広告端末３は、個人情報の登録を不要とする貸出用として特定地域に密着して利用できる表示機能を有するものである。したがって、従来の携帯電話の登録に必要な個人情報が漏洩されるということはない。
【００１７】
さらに地域Ｂ、地域Ｃ、地域Ｄなどの特定地域単位とは地域Ａと異なる広告適用範囲に属し、商店街内、百貨店内など限られた特定地域をも考えられる。特定地域単位での広告を提供し管理するシステムであるため、全国規模の広告のように利用者の広告に対する希薄化が生じ難く、また検索に多くの手間をかけずに極近くの地域広告を得ることができる。
【００１８】
図２は図１の実施例の詳細を示すブロック図である。図２において、２０はインターネットに接続可能な広告提供主のパーソナルコンピュータ（以下、パソコンという）、２１は特定地域単位の携帯広告端末に直接情報を発信できる広告サイトサーバ、２２は各種のアプリケーションを有する情報蓄積部、２３は特定地域単位のＷｅｂ機能を持った特定地域単位の携帯広告端末である。
【００１９】
この構成において、広告提供主のパソコン２０から広告サイトサーバ２１のホームページにログインする。広告提供主のパソコン２０はインターネットが使える環境とインターネットのブラウザーソフトがあればよい。
また、広告内容を入力しやすくするため、広告サイトサーバ２１から標準広告入力画面が広告提供主のパソコン２０に送信されることが好ましい。
【００２０】
利用者が携帯する携帯広告端末２３は、Ｗｅｂ対応であればよく、携帯広告端末２３からのアクセスがあれば情報蓄積部２２から広告の表示画面を作成し送信される。
また携帯広告端末２３は、インターネット接続サービスを利用し、広告主の提供するタイムサービス広告も得ることができ、狭い地域でタイミングのよい広告情報として地域の活性化につなげられる。
【００２１】
次に情報蓄積部２２に存在する各種アプリケーションについて説明する。
図２において、広告サイトサーバ２１の情報蓄積部２２が有する各種アプリケーションとしては、前記標準広告入力画面をはじめとする広告内容を登録するための広告登録アプリケーション、ＧＰＳを利用した携帯広告端末の現在位置を知るための現在地判断アプリケーション、新たな広告をタイミング良くしかも利用者に注意喚起させながら提供するタイムサービス情報提供アプリケーション、利用者の好みの広告が速やかに検索できるように広告検索表示アプリケーション、広告提供主の各種情報を登録するための会員情報登録アプリケーションなどが備えられている。
【００２２】
たとえば、会員情報登録アプリケーションにより、広告提供主は予め会員登録を行い、広告提供主の所在地、提供主情報、店舗アイコンを情報蓄積部２２に登録する。
また、随時、パソコン２０から送信された広告は広告登録アプリケーションにより広告サイトサーバ２１に反映される。
【００２３】
実施の形態２．
より最適な広告配信システムを形成するため、広告に対して様々な重み付けを行うとよい。
すなわち、携帯広告端末に受信される広告の数が多くなり過剰に溢れると、利用者が必要な広告を効率よく得ることができなくなる。
そこで広告に重み付けを行い、発信者の優先度、時間の優先度、場所の優先度、受信者の優先度などを考慮した広告配信をするシステムが必要となる。
【００２４】
まず、広告登録アプリケーションについて、配信者は配信時に1〜5までその広告に対して重みを付ける。たとえばそれぞれ重みを重くするにつれ広告費を高くする。これにより携帯広告端末の利用者にとって、より「お得な広告」であったり、広告提供者の意図している「広く伝えたい広告」であったり、さらには、十分な「広告費の使える広告」であるということを反映させサービスすることができる。すなわち、広告主の広告の登録に際し、広告に重み付けをすることにより、その優先度が明確になり、より最適な広告配信システムを得ることができる。
【００２５】
実施の形態３．
タイムサービス情報提供アプリケーションについて、広告配信の時間に関しても１〜５まで重みを付ける。これは更新した時からの経過時間をもとにより新しい広告に高い重みを付ける。
【００２６】
たとえば広告として即効性のあるタイムサービスを例にして説明すると、短時間に限定されるので高い重みを付けることができる。
携帯広告端末の利用者に対して、より新しい広告が提供でき優先的に広告を表示することによりタイムサービスを積極的に利用することができる。
また、広告内容が変化したとき前記携帯広告端末からアラーム信号を発生させることにより、タイムサービスの広告が受信されるとアラーム信号により知らせることができる。
【００２７】
実施の形態４．
現在地判断アプリケーションについて、携帯広告端末の現在地である場所に関しても１〜５まで重みを付けられる。ＧＰＳ技術を利用できる携帯広告端末であれば、利用者の現在位置を知ることができるので、携帯広告端末の現在位置と店舗との距離に応じて、店舗に近い場所に利用者がいれば高い重みをもたせることが好ましい。
さらに、高度な技術になるが、利用者が自動車で移動中の場合には、進行方向にある店舗は利用可能性が高いので高い値の重み付けを行い、利用可能な身近な店舗の広告を表示させることもできる。
【００２８】
実施の形態５．
広告検索表示アプリケーションについて、広告を検索する利用者である受信者に関して、たとえば１または２倍に重み付けをする。すなわち携帯広告端末を利用するため初期設定をする時、利用者の好みの商品区分を選んでもらい、その商品区分に対して重み付けをする。たとえば２倍にすることにより利用者が必要な広告を速やかに表示でき、優先的に検索することができる。
【００２９】
以上のようにアプリケーションを単独で利用することを説明したが、４つのアプリケーションをもとに広告に重み付けを行い高い重みのものから表示するようにすることもできる。これにより広告主である配信者のニーズ、携帯広告端末の利用者である受信者のニーズを反映させた広告を表示させることができる。
【００３０】
実施の形態６．  
図３は広告検索アプリケーションとタイムサービス広告アプリケーションを使用したときのフローチャートである。
Ｓ１はスタート、Ｓ２では配布場所で携帯広告端末を受け取る。Ｓ３では携帯広告端末のメニュー画面を表示して、どのメニューに進むか選択する。
Ｓ４にて商品情報を入力するか、またはＳ５のようにタイムサービス広告を得たいがどうかどちらかを選択する。たとえば商品情報を選択して入力すると、Ｓ６のように広告検索アプリケーションのソフトが稼動し、Ｓ７のように必要な広告があるか？を質問される。無い場合（Ｎｏ）となり、この検索は終了し、Ｓ１７のストップになる。ある場合（Ｙｅｓ）ではＳ８のように店舗情報が登録される。
【００３１】
また、Ｓ５のようにタイムサービス広告を選択すると、Ｓ９のようにタイムサービス広告アプリケーションのソフトが稼動し、Ｓ１０のようにタイムサービス広告一覧が表示され、Ｓ１１のように必要なものがあるか？が質問される。無い場合（Ｎｏ）となり、この検索は終了しＳ１７のストップになる。ある場合は（Ｙｅｓ）にはＳ１２のように予約システムを利用する場合も含め、Ｓ８のように店舗情報が登録される。
【００３２】
つぎに、Ｓ１３のように他に必要なものがあるとき（Ｙｅｓ）は、Ｓ３のメニュー画面表示に戻り、上述と同様に繰返され店舗情報が携帯広告端末に登録される。
【００３３】
買物の経路に関して、Ｓ１４のように店舗にたどり着くために最適な経路の誘導を開始され、Ｓ１５のように店舗に到着できる。
もしも上述の予約システムを利用して注文ができている場合には、Ｓ１６のように携帯広告端末の内容を確認するために例えば識別番号を見せて、タイムサービスでの当該商品を購入する。
【００３４】
図３に示したような広告提供システムのフローにおいて、上述のように重み付けをしておけば、発信者、受信者ともに広告に溢れることなく、目的とする店舗を選択でき、必要な広告のみを効率の良く検索することができる。
【００３５】
なお、特定地域単位の携帯広告端末は、特定地域単位のホテルや商店街、提携場所で保険金と引き換えに利用者に提供してもよい。返却も携帯広告端末の回収場所で行い返却され、たとえば返却されたら保険金を利用者に返金するようにしてもよい。
したがって、利用者である消費者などは、無料で特定地域単位の携帯広告端末を利用して広告を受信し、検索するので買物，地域観光等が容易にできる。
また特にタイムサービス限定、近場限定、最近の情報などを用意し、さまざまなニーズに対応させられるようにすることができる。
【図面の簡単な説明】
【００３６】
【図１】本発明の実施の形態１を示すブロック図である。
【図２】本発明の詳細を示すブロック図である。
【図３】本発明のフローチャート図である。
【符号の説明】
【００３７】
１  広告発信部
２  広告蓄積部
３  携帯広告端末
２０  パソコン
２１  広告サイトサーバ
２２  情報蓄積部
２３  携帯広告端末
【図１】
2008130053.tif 000003
【図２】
2008130053.tif 000004
【図３】
2008130053.tif 000005